(57)【特許請求の範囲】
【請求項１】
吸引力を発生する外部吸引源に接続された流路を有するバルブ本体と、
前記バルブ本体に設けられ、前記流路を開閉するためのバルブと、
液密にかつ脱着可能に前記バルブ本体にはめ込まれ前記流路と連通する、光学材料製の吸引チップと、
前記吸引チップに導光可能に光学的に結合された導光手段とを有し、該導光手段が、外部光源から導かれた光ファイバ束に結合され、
前記バルブは、前記バルブ本体に回転可能に装着された回転円筒であり、該バルブ本体の流路を適宜開閉するようになっていて、
該導光手段が、前記吸引チップと連通するボアを有するライトリングを有し、該ライトリングは、該吸引チップに隣接して前記回転円筒と該吸引チップとの間に介在され、前記光ファイバ束がバルブ本体に導入されて該ライトリングに光学的に結合している吸引器具。
【発明の詳細な説明】
【０００１】
（発明の背景）
この発明は、吸引器具に関し、更に詳しくは、患者の口腔の照明ももたらす、使い捨てチップを備える吸引器具に関する。
【０００２】
本発明は、現在吸込みまたは吸引に使われている、広く認められている排出システムに更なる機能を付加するために開発した。歯科医院に於ける吸込みまたは吸引の概念は、その根源が旧式の痰つぼにある。この痰つぼは、後に重力流れ痰つぼが置き換わり、次にフラッシュカップが置き換わり、最後に、使用者およびこの装置の開口の大きさに基づいて変る交換可能な用語である、吸引チップ／吸引装置チップ／真空チップが置き換わる。
【０００３】
歯科医がこれらの歯科吸引器具を使って典型的な歯科的処置中に患者の口腔に発生した流体その他の異物を除去する。従来の歯科吸引器具は、長い配管によって真空源に接続した吸引チップを含む。この歯科吸引器具は、患者の口の隅に吊すように構成することができ、または歯科医が操作して口腔を吸引する。
【０００４】
肝炎および後天性免疫不全症候群のような伝染性病気の発生率の上昇と共に、病原菌（ウイルス性のまたはバクテリア）が患者から患者へ伝染するのを防ぐために非常な注意を払わねばならない。従来の吸引装置では、患者が使用する度に少なくともこの吸引装置のチップを滅菌することが必要である。吸引装置の使用中、患者の口からの水、唾液および血液が口腔から除去するためにこのチップに吸引される。もし、洗浄および滅菌を行わなければ、伝染病を患者から患者へうつすのは非常に容易である。また、潜在的バクテリア成長を、この潜在的に汚染する物質が存在するために、このチップと真空吸引システム全体の管路の両方で促進することがある。この患者から患者への相互汚染の可能性を更に低減するためには、吸引チップの日常の滅菌が望ましい。
【０００５】
必要な歯科的処置を行う際に歯科医を支援するために、口腔に光を供給することも望ましい。大抵の歯科治療室は、光を患者の口へ集中するのに役立つ反射面を備えるオーバヘッド作業照明システムを有する。しかし、歯科医が屡々光路内に立ち、それがオーバヘッド光の有効性を低減する。歯科医の業務での主な厄介ごととフラストレーションの一つは、歯科医がこのオーバヘッド照明の方向を調節する時間を絶えず使う必要があることである。
【０００６】
種々の歯科器具が、種々の歯科的活動中の歯科医を支援するために光源を備えている。例えば、典型的な歯科用ドリルが光源からの光をこの歯科用ドリルの端へ伝える光ファイバの束を含み、それが歯科医に穴あけが発生している領域へ光を直接供給できるようにする。この技術の典型例は、米国特許第４，５０７，０８５号（モシマン）および米国特許第５，０８８，９２４号（ウッドワード）に記載されている開示である。
【０００７】
歯科用注射器チップ・ハンドピースも空気および／または水を吹付けるべき領域を照明するために光源を備えている。これらの装置の典型例は、米国特許第４，６１９，６１２号（ウエーバ）の開示で、それは金属注射器チップ組立体の中央に固定した光ファイバの束を示す。電球が光源として作用し、このハンドピースの内部に配置されている。このウエーバの特許の開示で使用する注射器チップは、金属の非使い捨て注射器チップであり、次の患者に使用する前に加圧滅菌しなければならない。
【０００８】
吸引チップに関連してライトを使う従来の試みは、この吸引チップに接し且つ平行に光ファイバの束を伸すことによって為された。この光ファイバの束のための光学導管をこの吸引チップの全長に亘る一連のクランプによって吸引チップに固定した。しかし、この構成の結果は、幾つかの理由で期待通りのものでなかった。
【０００９】
吸引チップに取付けた光ファイバの束は、やはり次の患者に使用する前に滅菌が必要であった。光ファイバの束は、特に滅菌の熱に耐えられず、それでこれらの光ファイバの束の頻繁な交換の出費および不便さが法外なことがある。吸引チップのクランプを取付ける領域を掃除することも必要であり、これはかなり厄介であり、時間が掛ることがある。この光ファイバの束の構成についてのもう一つの問題は、光が吸引チップと同心に配置できず、それで患者の口腔に伝達される光がまだ吸引チップそれ自体からの影を投じ、それが役に立つというよりはむしろ害になることがある。
【００１０】
ここで開発した新規な概念は、歯科用吸引装置の吸引チップとしても同時に役立つ透明プラスチック材料を通して光源を送ることによって作業領域に光を伝えることである。光が吸引チップと同心にあるという事実が口腔内の影を最少にし、歯科医が絶えず調節の必要なオーバヘッド作業照明に頼る必要を減らす。
【００１１】
空気／水注射器チップに結合した光源に関連して本発明を使用することが、オーバヘッド作業照明の必要を無くし且つこの作業照明を絶えず調節するために使う時間を省くに十分な光を患者の口腔に提供することを提案する。
【００１２】
本発明の目的は、各患者が清浄な非汚染吸引チップを受けられるように、歯科用吸引器具の一部として使い捨て吸引チップを提供することである。
本発明の特徴は、歯科用吸引器具の吸引チップを使い捨てプラスチック材料で作ることである。
本発明の利点は、各患者がその患者にしか使用しない、新しい、清浄な非汚染吸引チップを提供するので、不適当に清浄化しまたは滅菌した吸引チップによる患者間の相互汚染を無くすることである。
【００１３】
本発明の更なる目的は、吸引チップを歯科用吸引器具に適正に整列するための手段を提供することである。
本発明の更なる特徴は、吸引チップを歯科用吸引器具に適正に整列できるように、吸引チップの一端にこの吸引チップの外壁面に沿って少なくとも一つの斜めに切った部分を備えることである。その代りに、吸引チップの一端が、この吸引チップを歯科用吸引器具に適正に整列するために、この歯科用吸引器具のキー要素と協同するようにされた少なくとも一つのくぼみを備える。
本発明の更なる利点は、歯科医が吸引チップを歯科用吸引器具に適正に整列できることである。
【００１４】
本発明の更なる目的は、歯科医が歯科用吸引器具を使うときは何時でも患者の口腔に送れる有用な光源を提供することである。
本発明の更なる特徴は、歯科用器具に吸引チップを保持するアダプタの内部でこの吸引チップの一端に光源を備えることである。この光源からの光を吸引チップの一端に導き、その全長に亘って伝送する。この吸引チップの反対端で、光がこの吸引チップから放射し、患者の口腔を照らすために使うことができる。
【００１５】
本発明の更なる利点は、歯科医が患者の口腔から流体その他の異物を吸引するために使うのと同じ器具を使って口腔を照明できることである。歯科医が口腔で作業しているところを正確に見られるので、歯科用吸引器具を使うことが必要なあらゆる歯科的処置を容易、安全且つ効果的に行えるようになる。
本発明のその他の目的、特徴および利点は、以下の詳細な説明を検討すれば明白となろう。
【００１６】
（発明の概要）
歯科用吸引器具が患者から患者への相互汚染を防ぐために使い捨ての衛生的プラスチック吸引チップを有する。この吸引チップを全体として円筒形の中空管として作り、使い捨てプラスチック材料で作る。この吸引チップを歯科用吸引器具に適正に整列できるように、吸引チップの一端がこの吸引チップの外壁面に沿って少なくとも一つの斜めに切った部分を有する。その代りに、吸引チップの一端が、この吸引チップを歯科用吸引器具に適正に整列するために、この歯科用吸引器具のキー要素と協同するようにされた少なくとも一つのくぼみを有する。
【００１７】
その上、このプラスチック使い捨て吸引チップの端に光を供給するために、リング・ライトの付いた、または付かない光ファイバの束のような光源をこの歯科用吸引器具の内部に設ける。このリング・ライトからのまたは光ファイバの束から直接の照明がこの吸引チップの全長に亘って伝達され、その端から出て歯科的処置中に口腔を照らす。
【００１８】
（好適実施例の詳細な説明）
本発明の歯科用吸引器具を図１に全体を１０で示す。この歯科用吸引器具１０は、バルブ・キャップ２０、バルブ本体４０、レバー５０およびライト組立体７０を含む。吸引チップ８０をバルブ本体４０に取付け、この歯科用吸引器具１０全体を真空原および電源（図示せず）に接続する。
【００１９】
バルブ・キャップ２０は、好ましくは中空円筒として構成した、外ねじを切ったキャップ部２２を含む。このねじ付きキャップ部２２の直径上で対向する側の各々に、この歯科用吸引器具１０を組立てたとき、回転円筒６０を貫通させるに十分な直径の円筒開口２４を備える。ねじ付きキャップ部２２の後方にキャップ・トップ２６およびキャップ延長部３０がある。キャップ延長部３０は、配管コネクタ・ベース３８を受けるために環状溝３２を備える。この配管コネクタ・ベース３８を、典型的には歯科医の椅子から離れた場所に設けた電源および真空吸引供給源から伸びる配管（図示せず）に取付ける。
【００２０】
バルブ本体４０は、バルブ・キャップ２０をこのバルブ本体４０と組合わせたとき、このバルブ・キャップ２０のねじ付きキャップ部２２と協同し且つそれを受ける１組の内ねじ４６を備える、全体として中空のねじ付き本体部４２を含む。このバルブ本体４０は、ねじ付き本体部４２の片側に円筒開口４４をおよびその反対側にもう一つの円筒開口（図示せず）を有する。これらの円筒開口は、この歯科用吸引器具１０を組立てたとき、回転円筒６０を受ける。
【００２１】
回転円筒６０は、直径上を貫通する円筒通路６２を備える一般的な円筒体である。回転円筒６０の各端は、レバー５０の締結ピンに対応する形の締結くぼみを有する。回転円筒６０の一端は、Ｏリング６７を受ける環状溝６６を有し、回転円筒６０の他端は、Ｏリング６５を受ける同様な環状溝６４を有する。
【００２２】
レバー５０は、図示する全体としてＵ字形のような、どんな形状でもよい。このレバー５０は、回転円筒６０の関連する第１締結くぼみ（図示せず）に嵌まる第１締結コネクタ５３が取付けられた第１側面アーム５１、および回転円筒６０の関連する第２締結くぼみ６３に嵌まる第２締結コネクタ（図示せず）が取付けられた第２側面アーム５２を有する。第１側面アーム５１および第２側面アーム５２の各々を横材５６によって結合し、レバー５０を動かすと各アームが他と共に動いて回転円筒６０を回転するようにする。
【００２３】
歯科用吸引器具１０は、この歯科用吸引器具１０の全長に亘って伸びる光ファイバの束７４の一端のライト・リング７２を含むライト組立体７０も含む。このライト・リング７２に隣接するが僅かに離れて、この歯科用吸引器具１０の全要素をその使用状態に組付けるときに、このライト組立体７０を歯科用吸引器具１０の内部に適正に整列するのを支援する整列円筒７８がある。
バルブ本体４０は、使い捨て吸引チップ８０を挿入する円錐端部４３の端で開く吸引チップ通路４８を含む。吸引チップ８０は、ここに更に詳しく説明するように多くの形状を有してもよい。
【００２４】
図２は、回転円筒６０が開いて真空源が吸引チップ８０に吸引力をもたらすようにレバー５０を設定した、歯科用吸引器具１０の組立てた状態を断面で示す。バルブ本体４０は、ライト・リング７２および整列円筒７８を受けるライト・リング空洞４５を有する。吸引チップ８０をバルブ本体４０の吸引チップ通路４８に挿入したとき、吸引チップ８０の端がライト・リング７２に接する。吸引チップ８０を、吸引チップ通路４８の全長に亘ってその中に設けた一つ以上のＯリング４９によって、バルブ本体４０の内部にしっかりと固定する。吸引チップ８０を単純に引き抜くことによって、各新しい患者のために新しい吸引チップ８０をバルブ本体４０に挿入することができ、それによって清浄で衛生的な吸引器具を維持し、患者間の有り得る相互汚染を無くする。
【００２５】
ライト組立体７０への電力供給を活性化すると、光ファイバの束７４を通してライト・リング７２に光を送る。ライト・リング７２から出る光が吸引チップ８０の全長に亘って伝わり、その端から患者の口腔に出る。
図２に示すこの発明の実施例では、吸引チップ８０が二層押出し品である。この内層は、光ファイバ管８６で、それがライト・リング７２からの光をこの光ファイバ管８６の全長に亘って伝え、その端から患者の口腔に出す。この外層は、プラスチック層８４で、それは望み通に透明でも不透明でもよい。この好適実施例では、プラスチック層８４が透明な光透過プラスチック材料であるべきで、それもこのプラスチック層８４の全長に亘ってライト・リング７２からの光を透過できる。
【００２６】
レバー５０を図３に示すように約９０°回転すると、回転円筒６０も同様に約９０°回転する。これは、円筒通路６２を整列円筒通路７９から切離し、それでもう吸引チップ８０に吸引力をもたらさない。しかし、ライト・リング７２からの光は、光ファイバの束７４に出力を供給する限り、吸引チップ８０の全長に亘って伝わり、患者の口腔に出続ける。これは、この歯科用吸引器具１０を、特定の歯科的処置のために吸引が必要ないときでも、光源として機能できるようにする。
【００２７】
図４ないし図６は、本発明の歯科用吸引器具１０の修正形を示す。図４ないし図６で図１ないし図３と同じ要素を指すためには類似の参照数字を使う。
図４および図６では、後部空洞４５にライト・リング７２の前にチップ挿入ブロック９０を付加する。図５および図６に示すように、このチップ挿入ブロック９０は、吸引チップ８０の外面で直径上で対向する側上の斜めに切った部分８２に対応する斜めに切った上部および下部を有する。図５に示す本発明の好適実施例では、これらの斜めに切った部分８２を吸引チップ８０の外壁面に作る。吸引チップ８０をバルブ本体４０に挿入するとき、これらの斜めに切った部分８２がチップ挿入ブロック９０の内部の斜めに切った上部および下部と整列し、バルブ本体４０の中で吸引チップ８０の適正な整列を行う。
【００２８】
図７、図８および図９は、本発明の歯科用吸引器具１０のもう一つの修正形を示す。図７および図８で図１ないし図３と同じ要素を指すためには類似の参照数字を使う。
図７、図８および図９では、バルブ本体４０の内部にライト・リング７２の前にキー９６を付加する。このキー９６は、吸引チップ１８０をバルブ本体４０に挿入するとき整列装置として作用する。
【００２９】
図７および図８に示すように、吸引チップ１８０は、この吸引チップ１８０の周辺にその外壁面に等間隔に配置した複数のくぼみ１８２を有する。図７および図８に示す本発明の好適実施例では、これらのくぼみ１８２を吸引チップ１８０の外壁面に作る。吸引チップ１８０をバルブ本体４０に挿入するとき、これらのくぼみ１８２の一つがキー９６と整列し、バルブ本体４０の中で吸引チップ１８０の適正な整列を行う。吸引チップ１８０が僅かに曲っているので、この吸引チップ１８０の周辺に複数のくぼみ１８２を設けることによって、歯科医がこの吸引チップ１８０を多数の方向に向けることができて、この吸引チップ１８０を歯科医が望むどの様な方法ででも利用できるようにする。
【００３０】
図８は、吸引チップの内側の光ファイバ層を無くした吸引チップ１８０のもう一つの実施例も示す。この実施例では、光を透過する透明なプラスチック材料を吸引チップ１８０に使う。ライト・リング７２を活性化すると、そこから出る光が吸引チップ１８０の本体を通ってその端から出る。この実施例は、吸引チップ１８０の製造を単純化し、そのコストを下げる。
【００３１】
図１０および図１１は、本発明の歯科用吸引器具１０の更にもう一つの修正形を示す。図９および図１０で図１ないし図３と同じ要素を指すためには類似の参照数字を使う。
図９および図１０に示すこの発明の実施例も後部空洞４５にライト・リング７２の前に付加したキー９６を使用する。このキー９６は、吸引チップ２８０をバルブ本体４０に挿入するとき整列装置として作用する。
【００３２】
吸引チップ２８０も吸引チップの内側の光ファイバ層を無くする。この実施例では、吸引チップ２８０が不透明材料の外層２８４と光を透過する透明プラスチック材料の内層２８６の、プラスチック材料の二つの押出し層から成る。吸引チップ２８０は、この吸引チップ２８０の周辺にその外壁面に等間隔に配置した複数のくぼみ２８２を有する。図９および図１０に示す本発明の好適実施例では、これらのくぼみ２８２を吸引チップ２８０の外壁面に作る。ライト・リング７２を活性化すると、そこから出る光が吸引チップ２８０の内層２８６を通ってその端から出る。不透明である外層２８４は、吸引チップ２８０の側面を通る光損失を防ぎ、それで吸引チップ２８０の端から出る光強度が増す。その代りに、共押出した不透明外層を使うのではなく、内層の外面に不透明材料のコーティングを付けて吸引チップ２８０の外面からの光損失を最少にすることもこの発明の範囲内である。
【００３３】
本発明の歯科用吸引器具のもう一つの実施例を図１２に全体を３００で示す。この歯科用吸引器具３００は、バルブ本体３２０、チップ・ホルダ３４０、回転円筒３５０および複数の光ファイバの束３１２を含む。吸引チップ３８０をチップ・ホルダ３４０に取付け、この歯科用吸引器具３００全体を真空原および電源（図示せず）に接続する。
【００３４】
バルブ本体３２０は、一体に作った吸引管コネクタ３１６を含む主要部３２１を含む。この主要部３２１および吸引管コネクタ３１６は、真空源を吸引チップ３８０の供給できるように、そこを貫通する通路３１８を有する。主要部３２１の上端に複数の光ファイバの束チャンネル３２６があり、その中に光ファイバの束３１２が収り、その上にバルブ本体上端カバー３２２を、図１５に示す連動肩組立体のような、何か適当な締結手段によって配置する。主要部３２１の下部も複数の光ファイバの束チャンネル（図示しないが、チャンネル３２６に類似する）を有し、それも光ファイバの束３１２を収容し、バルブ本体下部カバー３２４によって覆われ、それも図１５に示す連動肩組立体のような、何か適当な締結手段によって適所に保持されている。光ファイバの束３１２は、主要部３２１を貫通し、主要部３２１の内部でこの主要部３２１が主要部延長部３２９に結合する点で終る。これは、光ファイバの束３１２の端から出る光が、ここに詳しく説明するように、吸引チップ３８０の端と相互作用できるようにする。光ファイバの束３１２を使う代りに、吸引チップまで通過し、そこから患者の口腔に達する光の強度が所望量の照明をもたらすに十分である限り、１本しか使えないが、適当などんな光伝達導管を使ってもよい。
【００３５】
バルブ本体３２０の直径上で対向する側の各々に、この歯科用吸引器具３００を組立てたとき、回転円筒３５０を貫通させるに十分な直径の開口３２７を備える。回転円筒３５０は、通路３５６が貫通する円筒本体３５４を含み、この回転円筒３５０をＯリング３５５およびＯリング３５７によってバルブ本体３２０内の内部の適所に保持する。回転円筒３５０は、吸引チップ３８０に与える吸引力を制御するために通路３５６を通路３１８に対して開閉するように回転円筒３５０を回転するためにユーザが掴める円筒キャップ３５２も有する。
【００３６】
主要部３２１の一端に、中空円筒本体を含む主要部延長部３２９がある。この主要部延長部３２９は、主要部３２１のくぼみに圧入したブッシュ延長部３３０を囲む。このブッシュ延長部３３０は、その上にチップ・ブッシュ３３２を有する。このチップ・ブッシュ３３２は、ここに説明するように吸引チップ３８０の端を受けるために周辺が円錐形であるのが好ましい。このブッシュ延長部３３０も通路３１８と整列した内部通路３３１を有する。主要部延長部３３０の主要部３２１との大体の結合点に、Ｏリング３４９を受ける溝３３４が設けられている。
【００３７】
好ましくは円錐形部材であるチップ・ホルダ３４０も設けられている。チップ・ホルダ３４０の広い端は、それをバルブ本体３２０上に組付けたときチップ・ホルダ３４０を適所に保持するためにＯリング３４９と協同する内部周辺肩３４２を有する。
チップ・ホルダ３４０は、このチップ・ホルダ３４０の端で開き、その中に使い捨て吸引チップ３８０を挿入する吸引チップ通路３４８を含む。
【００３８】
吸引チップ３８０の好適実施例の一つの詳細を図１７に示す。この吸引チップ３８０は、一端に斜めに切った部分３８２を有する全体として円筒形の中空部材である。この吸引チップ３８０の反対端に、複数のフィンガ３８４が設けられている。本発明のこの好適実施例では、吸引チップ３８０の周辺に等間隔に四つのスロット３８８を示す。スロット３８８の最大深さは、チップ・ホルダ３４０の軸方向長さを越えるべきでないが（吸引チップ３８０内部の真空を維持するために）、スロット３８８の最少深さは、３．１７５ｍｍより少なくあるべきでない。スロット３８８は、吸引チップ３８０の端に複数のフィンガ３８４を創る。各フィンガ３８４の端は、ブッシュ延長部３３０のチップ・ブッシュ３３２と相互作用するために適当な大きさの内部肩３８６を備える。
【００３９】
図１５および図１６は、歯科用吸引器具３００の組立を示す。Ｏリング３４９を溝３３４に取付ける。チップ・ホルダ３４０をブッシュ延長部３３０上に配置し、Ｏリング３４９と相互作用する肩３４２によって適所にパチンと嵌める。フィンガ３８４を有する吸引チップ３８０の端をチップ・ホルダ３４０に挿入し、フィンガ３８４が拡がってブッシュ延長部３３０上のチップ・ブッシュ３３２に掛るまで押込む。フィンガ３８４の内部の肩３８６がチップ・ブッシュ３３２と相互作用して吸引チップ３８０がチップ・ホルダ３４０から簡単に抜落ちるのを防ぐが、吸引チップ３８０は十分柔軟で、必要なとき吸引チップ３８０を手で取外して新しい吸引チップ３８０と交換できる。
【００４０】
吸引チップ３８０をチップ・ホルダ３４０の吸引チップ通路３４８に挿入し、チップ・ブッシュ３３２上に押込むとき、吸引チップ３８０の端を光ファイバの束３１２の端に隣接して配置して、光ファイバの束３１２の端から出る光を吸引チップ３８０の中へ伝達できるようにする。吸引チップ３８０を単純に引き抜くことによって、各新しい患者のために新しい吸引チップ３８０をチップ・ホルダ３４０に挿入することができ、それによって清浄で衛生的な吸引器具を維持し、患者間の有り得る相互汚染を無くする。
【００４１】
電力供給を活性化すると、光ファイバの束３１２を通して光を送る。光ファイバの束３１２から出る光が吸引チップ３８０の全長に亘って伝わり、その端から患者の口腔に出る。
この実施例に他の修正を行うことが出来る。図１８に示すように、吸引チップ３８０に図１７に示す四つのスロット３８８ではなくて単一スロット３８８を作ることができる。この単一スロット３８８の実施例では、プラスチック材料にまだ十分な柔軟性があって、吸引チップ３８０の開放端がチップ・ブッシュ３３２の周りに拡がって適所に保持できる。少なくとも一つのスロット３８８があれば、吸引チップ３８０は機能する。二つ以上のスロットも使ってよい。
【００４２】
図１９および図２０は、本発明の吸引チップ３８０のもう一つの修正形を示す。この実施例では、肩３８６を省き、内部溝３９２を適所に使う。吸引チップ３８０をチップ・ブッシュ３３２上に押込むとき、チップ・ブッシュ３３２が内部溝３９２に落込んで吸引チップ３８０を適所に保持する。図１９および図２０に示す二つの直径上で対向するスロット３８８のような、一つ以上のスロット３８８が必要である。その上、スロット３８８の閉鎖端に真空逃し孔３９４を設けることができる。また、吸引チップ３８０に追加の把持圧力を与えるために、Ｏリング３９６をチップ・ホルダ３４０に含めることができる。
この修正形の好適実施例では、光を透過する透明なプラスチック材料を吸引チップ３８０に使う。使用できる適当な材料は、アクリル樹脂、セルロース樹脂およびその他の光伝導プラスチックである。
【００４３】
この発明をその幾つかの特定の実施例に関して説明したが、これらの実施例は、限定ではなく例示と考えるべきである。種々の修正および付加を為すことができ、それは当業者に明白だろう。従って、この発明は、上記の説明によって限定すべきでなく、前記の請求項によってのみ定義すべきである。
【図面の簡単な説明】
【図１】  本発明の歯科用吸引器具の等角分解図を示す。
【図２】  本発明の歯科用吸引器具の一実施例の、吸引バルブが開位置にある断面図である。
【図３】  本発明の歯科用吸引器具の一実施例の、吸引バルブが閉位置にある断面図である。
【図４】  本発明の修正した歯科用吸引器具の等角分解図を示す。
【図５】  本発明の修正した吸引チップの等角図を示す。
【図６】  図４に示す修正した歯科用吸引器具の、吸引バルブが開位置にある断面図である。
【図７】  本発明のもう一つの修正した吸引チップの端面図を示す。
【図８】  もう一つの修正した歯科用吸引器具の、吸引バルブが開位置にある断面図である。
【図９】  本発明の修正した吸引チップとその対応するキー要素の等角分解図である。
【図１０】  本発明の更にもう一つの修正した吸引チップの端面図を示す。
【図１１】  更にもう一つの修正した歯科用吸引器具の、吸引バルブが開位置にある断面図である。
【図１２】  本発明のもう一つの修正した歯科用吸引器具の等角分解図である。
【図１３】  図１２の線１３−１３による、修正した歯科用吸引器具のバルブ本体の端面図である。
【図１４】  図１２の線１４−１４による、修正した歯科用吸引器具のバルブ本体の端面図である。
【図１５】  図１２の修正した歯科用吸引器具の、吸引チップをチップ・ブッシュに取付ける前の断面図である。
【図１６】  図１２の修正した歯科用吸引器具の、吸引チップをチップ・ブッシュに取付けた断面図である。
【図１７】  図１２の修正した歯科用吸引器具に使用する吸引チップの斜視図である。
【図１８】  図１２の修正した歯科用吸引器具に使用する修正した吸引チップの斜視図である。
【図１９】  図１２の修正した歯科用吸引器具に使用するもう一つの修正した吸引チップの断面図である。
【図２０】  図１２の修正した歯科用吸引器具に使用する図１９の修正した吸引チップの断面図である。
【図１】
0004247809.tif 000002
【図２】
0004247809.tif 000003
【図３】
0004247809.tif 000004
【図４】
0004247809.tif 000005
【図５】
0004247809.tif 000006
【図６】
0004247809.tif 000007
【図７】
0004247809.tif 000008
【図８】
0004247809.tif 000009
【図９】
0004247809.tif 000010
【図１０】
0004247809.tif 000011
【図１１】
0004247809.tif 000012
【図１２】
0004247809.tif 000013
【図１３】
0004247809.tif 000014
【図１４】
0004247809.tif 000015
【図１５】
0004247809.tif 000016
【図１６】
0004247809.tif 000017
【図１７】
0004247809.tif 000018
【図１８】
0004247809.tif 000019
【図１９】
0004247809.tif 000020
【図２０】
0004247809.tif 000021